(57)【要約】【課題】  本発明は上記の点に鑑みてなされたものであり、煩雑な操作を行わずに、不要な動画像データを避けて、動画像データのダビングが迅速に行えるビデオカメラシステムを提供する事を目的とする。【解決手段】  映像データと、ダビング済みの映像データを示すダビング履歴情報とを、記憶媒体に記録する記録手段と、前記ダビング履歴情報の生成を指示する指示手段と、前記指示手段の指示に応じて、前記指示手段の指示以前に記録された映像データがダビング済みであることを示すダビング履歴情報を生成する制御手段とを備えたことを特徴とする。【選択図】  図１
2008311933.tif 000002
【特許請求の範囲】
【請求項１】
映像データと、ダビング済みの映像データを示すダビング履歴情報とを、記憶媒体に記録する記録手段と、
前記ダビング履歴情報の生成を指示する指示手段と、
前記指示手段の指示に応じて、前記指示手段の指示以前に記録された映像データがダビング済みであることを示すダビング履歴情報を生成する制御手段とを備えたこと特徴とする記録装置。
【請求項２】
前記指示手段の指示に応じてダビング履歴情報の生成を行ったことを報知する報知手段を備えたことを特徴とする請求項１記載の記録装置。
【請求項３】
前記指示手段の指示に応じて生成されたダビング履歴情報が前記記憶媒体に記録されている場合に、
前記指示手段による指示が更にあったとき、前記制御手段は前記指示手段の指示に応じて生成されたダビング履歴情報を削除することを特徴とする請求項１記載の記録装置。
【請求項４】
前記記憶媒体に記録された映像データを再生する再生手段と、
映像データを他の記憶媒体に記録する外部装置と通信を行う通信手段と、
ダビング指示手段とを備え、
前記制御手段は、前記ダビング指示手段の指示に応じて、前記記録装置のモードを、前記記憶媒体が前記外部装置のドライブとして認識されるモードに遷移させることを特徴とする請求項１記載の記録装置。
【請求項５】
前記記憶媒体に記録された映像データを再生する再生手段と、
映像データを他の記憶媒体に記録する外部装置と通信を行う通信手段とを備え、
前記制御手段は、前記指示手段の指示に応じて、前記記録装置のモードを、前記記憶媒体が前記外部装置のドライブとして認識されるモードに遷移させることを特徴とする請求項１記載の記録装置。
【請求項６】
請求項１から請求項５のいずれか１項記載の記録装置により前記記憶媒体に記録した映像データを他の記憶媒体に記録するための情報処理装置で実行可能なプログラムにおいて、
前記ダビング履歴情報と前記記憶媒体に記録された映像データの一覧を示す情報とを前記記録装置に要求するステップと、
前記ダビング履歴情報と前記記憶媒体に記録された映像データの一覧を示す情報とを前記記録装置から受信するステップと、
前記ダビング履歴情報と前記記憶媒体に記録された映像データの一覧を示す情報とに基づいて、ダビングすべき映像データを特定するステップと、
前記特定されたダビングすべき映像データを前記記録装置に要求するステップと、
前記特定されたダビングすべき映像データを前記記録装置から受信するステップと、
前記特定されたダビングすべき映像データを前記他の記憶媒体に記録し、記録された映像データに対応するダビング履歴情報を生成するダビングステップと、
前記ダビングステップの終了後に、前記指示手段の指示に応じて生成されたダビング履歴情報を削除する削除ステップと、
前記ダビングステップと前記削除ステップとにより更新されたダビング履歴情報をを前記記録装置に送信するステップとを、
前記情報処理装置に実行させるための情報処理装置上で動作するプログラム。
【請求項７】
前記記憶媒体に記録された映像データを再生する再生手段と、
映像データを他の記憶媒体に記録する外部装置と通信を行う通信手段と、
ダビング指示手段とを備え、
前記制御手段は、前記ダビング指示手段の指示に応じて、前記ダビング履歴情報に基づいて前記記憶媒体に記録された映像データからダビング済みでない映像データを選択し、前記選択した映像データを前記他の記憶媒体に記録すべく前記外部装置に送信するよう前記通信手段を制御することを特徴とする請求項１記載の記録装置。
【請求項８】
前記記憶媒体に記録された映像データを再生する再生手段と、
映像データを他の記憶媒体に記録する外部装置と通信を行う通信手段とを備え、
前記制御手段は、前記指示手段の指示に応じて、前記ダビング履歴情報に基づいて前記記憶媒体に記録された映像データからダビング済みでない映像データを選択し、前記選択した映像データを前記他の記憶媒体に記録すべく前記外部装置に送信するよう前記通信手段を制御することを特徴とする請求項１記載の記録装置。
【請求項９】
前記制御手段は、前記選択した映像データの送信後に、前記指示手段の指示に応じて生成されたダビング履歴情報を削除することを特徴とする請求項７または８記載の記録装置。
【請求項１０】
第２の記録媒体に映像データを記録する第２の記録手段と、
ダビング指示手段とを備え、
前記制御手段は、前記ダビング指示手段の指示に応じて、前記ダビング履歴情報に基づいて前記記憶媒体に記録された映像データからダビング済みでないで映像データを選択し、前記選択した映像データを前記第２の記録手段により前記第２の記憶媒体に記録させることを特徴とする請求項１記載の記録再生装置。
【請求項１１】
前記制御手段は、前記選択した映像データを前記第２の記憶媒体に記録した後、前記指示手段の指示に応じて生成されたダビング履歴情報を削除することを特徴とする請求項１０記載の記録再生装置。
【請求項１２】
映像データを記憶媒体に記憶するための記録ステップと、
ダビング済みの映像データを示すダビング履歴情報を生成するための指示をする指示ステップと
前記指示に応じて前記指示以前に記録された映像データが、ダビング済みであることを示すダビング履歴情報を生成する制御ステップとを備えたこと特徴とする記録装置の制御方法。
【請求項１３】
前記指示ステップの指示に応じてダビング履歴情報の生成を行ったことを報知する報知ステップを備えた事を特徴とする請求項１２記載の記録装置の制御方法。
【請求項１４】
前記指示に応じて生成されたダビング履歴情報が前記記憶媒体に記録されている場合に、
前記指示ステップの指示に応じて生成されたダビング履歴情報を削除する削除ステップを備えたことを特徴とする請求項１２または１３記載の記録装置の制御方法。
【請求項１５】
前記記録装置のモードを外部装置のドライブとして認識されるモードに遷移させる遷移ステップを備えたことを特徴とする請求項１２記載の記録装置の制御方法。
【請求項１６】
前記記録装置に備えられたダビング指示手段からのダビング指示に応じて、前記記録装置のモードを、外部装置のドライブとして認識されるモードに遷移させる遷移ステップを備えたことを特徴とする請求項１２記載の記録装置の制御方法。
【請求項１７】
前記記録装置に備えられたダビング指示手段からのダビング指示に応じて、前記ダビング履歴情報に基づいて、前記記憶媒体に記憶された映像データからダビング済みでないで映像データを選択し、前記選択した映像データを第２の記憶媒体に記録させる第２の記録ステップを備えたことを特徴とする請求項１２記載の記録再生装置の制御方法。
【発明の詳細な説明】
【技術分野】
【０００１】
本発明は、記録媒体に記録された映像データをダビングするための記録装置に関し、また、その制御方法、制御プログラムに関する。
【背景技術】
【０００２】
従来、テレビ放送を受信してハードディスク（以下ＨＤＤ）等に対して記録する、ＨＤＤレコーダ等が知られている。また、近年、ビデオカメラにもＨＤＤが搭載されてきている。
【０００３】
このような、ＨＤＤレコーダやＨＤＤ搭載型ビデオカメラにおいては、ＨＤＤは、記録したテレビ放送の映像データや、撮影した映像データ等を、一時的に記録するために使われている。そして、ＨＤＤに一時的に記録された映像データは、ユーザによってパソコンや内蔵ＤＶＤドライブ等を用いてＤＶＤにダビングされて記録されることが多い。
【０００４】
また最近では、パソコンのアプリケーションと連動して、映像データをワンタッチでＤＶＤにダビングを行うことができるＨＤＤ搭載型ビデオカメラ等も登場している（例えば、特許文献１参照）。このＨＤＤ搭載型ビデオカメラは、該ビデオカメラに設けられた所定のスイッチを押すことで、映像データを、ＤＶＤにダビングするようになっている。
【特許文献１】特開２００４−３１２３０３号公報
【発明の開示】
【発明が解決しようとする課題】
【０００５】
前述のようにＨＤＤに記録された映像データを外部メディアに記録する際、ユーザは多くの映像データの中からパソコン上でダビングしたい映像データを探し出し、記録を指示しなければならなかった。また、特許文献１では、ダビングする必要のない映像データまでダビングされてしまうことがあり、不便であった。
【０００６】
本発明は上記の点に鑑みてなされたものであり、煩雑な操作を行うことなく、必要な映像データをダビングすることができる装置を提供する事を目的とする。
【課題を解決するための手段】
【０００７】
本発明の記録再生装置は、映像データと、ダビング済みの映像データを示すダビング履歴情報とを、記憶媒体に記録する記録手段と、前記ダビング履歴情報の生成を指示する指示手段と、前記指示手段の指示に応じて、前記指示手段の指示以前に記録された映像データがダビング済みであることを示すダビング履歴情報を生成する制御手段とを備えたことを特徴とする。
【発明の効果】
【０００８】
本発明によれば、例えば、簡単な操作で、映像データのダビングができ、不要な映像データをダビングされてしまう可能性を低減できる。
【発明を実施するための最良の形態】
【０００９】
以下、図面を参照して本発明の実施例を詳細に説明する。
【実施例１】
【００１０】
図１は、本実施例のビデオカメラ１００のブロック図である。
【００１１】
図１において、１０１は映像を取り込む撮影レンズである。１０２は後述の撮像素子１０３への光量を制御する絞りである。１０３は、撮影レンズを通して取り込んだ映像を電気信号に変換する撮像素子である。１０４は、撮像素子１０３から得た画像信号をサンプルホールドし、適正な信号レベルにするＣＤＳ／ＡＧＣである。１０５は、ＣＤＳ／ＡＧＣ１０４から得た画像信号をデジタルデータに変換するデジタル信号処理回路である。１０６は、デジタル信号処理回路１０５から得た画像データを、１フレーム分ずつ蓄積するフレームメモリである。１０７は、後述のＭＰＥＧ２方式等で記録ができるように、フレームメモリ１０６内の画像データの画素を、適切な画素数に調整する画素数調整回路である。
【００１２】
１０８は、各ブロック間の画像データおよび後述の音声データが行き来する画像／音声データバスである。
【００１３】
１０９は、音声を取り込むマイクロフォンである。１１０は前記マイクロフォンからの音声信号を適当なレベルまで増幅する増幅器である。１１１は、増幅された音声信号をデジタルデータに変換するＡ／Ｄコンバータである。
【００１４】
１１２は、再生モード時には後述のＭＰＥＧ２コーデック１１４からの再生画像データを、撮影モード時には前記撮像素子１０３で撮像された撮像画像データを表示する液晶ディスプレイである。１１３は、前記液晶ディスプレイ１１２を駆動する液晶ドライバである。
【００１５】
１１４は、ＭＰＥＧ２コーデックであり、画像／音声データバス１０８を介して送られてくる、撮像部からの画像データをＭＰＥＧ２方式に従って符号化し、その情報量を圧縮する。また、ＨＤＤ１１９に記録されたＭＰＥＧ２方式の映像データを、伸張しその情報を復号する。１１５は、ＭＰＥＧ２コーデック１１４からの圧縮動画像データを後述のＨＤＤ１１９に記録する前に一時的に記録・保持するストリームバッファである。ここで１１４は、ＭＰＥＧ２コーデックに限られるものではなく、画像データを圧縮符号化、伸張復号化するコーデックであればよい。
【００１６】
１１６は、後述のＮＴＳＣエンコーダ１１７からの画像データを出力するビデオ出力端子である。１１７は、画像データをアナログ信号に変換し、前記ビデオ出力端子１１６に出力するＮＴＳＣエンコーダである。
【００１７】
１１８は、後述のＨＤＤ１１９に対してデータの読み書きを行うための制御を行うディスクドライバである。１１９は、画像／音声データバス１０８からの画像データや音声データ等を含む映像データを記録するハードディスクドライブである。
【００１８】
１２０は、ＰＣ等の外部機器と通信を行ったり、ＨＤＤ１１９に記録されたＭＰＥＧ２方式の映像データ等を外部機器とやり取りするためのＵＳＢ端子である。１２１は、前記ＵＳＢ端子１２０と接続された外部機器とのデータのやり取りを制御するＵＳＢコントローラである。
【００１９】
１２２は、ユーザからの指示を受け付け、ビデオカメラ１００の各種操作を行うための操作キーであり、後述のメインマイコン１２３に対して、指示信号を送信する。
【００２０】
１２３は、ビデオカメラ１００のモードを制御したり、操作キー１２２からの指示信号を検出して各種機能の実行を制御するメインマイコンである。１２４は、メインマイコンが一時的なデータを保管するためのＲＡＭである。１２５は、メインマイコン１２３の所定の状態を記憶する不揮発性メモリであるＥＥＰＲＯＭである。１２６は、メインマイコン１２３からの制御信号や、操作キー１２２からの指示信号が行き来する制御信号バスである。
【００２１】
まず、図１のビデオカメラ１００の基本的な記録動作を説明する。
【００２２】
撮影レンズ１０１を通って入射した被写体からの光は、絞り１０２により光量を制御され、撮像素子１０３により電気信号に変換される。そして、該電気信号は、ＣＤＳ／ＡＧＣ１０４により適正な信号レベルに調整され、デジタル信号処理回路１０５でデジタルデータに変換される。デジタル信号処理回路１０５から得た画像データは、１フレーム分ずつフレームメモリ１０６に蓄積される。ここで、撮像素子１０３からデータを引出すためのタイミング信号は、メインマイコン１２３により生成される。フレームメモリ１０６に蓄積された画像データは、画素数調整回路１０７によって適切な画素数に調整され、ＭＰＥＧ２コーデック１１４でＭＰＥＧ２方式で圧縮符号化される。
【００２３】
また、マイクロフォン１０９により取り込まれた音声信号は、増幅器１１０で増幅され、Ａ／Ｄコンバータ１１１でデジタルデータに変換される。
【００２４】
ＭＰＥＧ２コーデック１１４は、符号化した画像データと音声データと、所定の制御情報とを多重してＭＰＥＧ２プログラムストリームやトランスポートストリームを形成する。前記制御データとは、ビデオカメラ１００自体の情報、画像、音声などの記録設定情報、撮影環境情報などの撮影付加情報を意味する。
【００２５】
メインマイコン１２３は、ＵＤＦ、ＦＡＴ等のファイルシステム管理のもとに、画像データと音声データのデータストリームを映像データとしてＨＤＤ１１９に書き込む。ファイルシステムとは、ファイルの管理を行うための管理情報とファイルデータからなる構造体系を意味する。このファイルシステムを共通化することによって、異なった記憶媒体あるいは記録再生機器でも記録再生できるわけである。
【００２６】
データストリームは、必要に応じてビデオ出力端子１１６に送られたり、液晶ドライバ１１３を通して、液晶ディスプレイ１１２に表示される。
【００２７】
本実施例では、記憶媒体としてＨＤＤ１１９を用いているが、これは、ハードディスクに限られるものではなく、
・ＭＭＣ
・ＳＳＦＤＣ、
・ＳＤ、
・コンパクトフラッシュ（登録商標）、
・ＰＣカード
等のメモリカード、あるいはＣＤ−ＲＷ、ＦＤ、ＭＤ、ＤＶＤ−ＲＡＭなどの磁気（あるいは光磁気）記録メディアなどが考えられる。
【００２８】
次に、図１のビデオカメラ１００の通常の再生動作について説明する。
【００２９】
メインマイコン１２３は、操作キー１２２からの指示に応じて、ＨＤＤ１１９内に記録された映像データを読み出し、ＭＰＥＧ２コーデック１１４に送信する。ＭＰＥＧ２コーデック１１４は、映像データから、画像データと音声データと制御情報とを分離する。音声データは、不図示の音声処理回路を通じて、スピーカ等により音声出力される。画像データは、ＭＰＥＧ２コーデック１１４により、伸張され、復調される。メインマイコン１２３は、復調された画像データを液晶ドライバ１１３を介して液晶ディスプレイ１１２に表示させる。または、復調された画像データは、ＮＴＳＣエンコーダ１１７を介して、ビデオ出力端子に送られる。
【００３０】
本実施形態のビデオカメラ１００は、例えばＰＣ等の外部機器と接続し、ＨＤＤ１１９に記録された映像データを、ＤＶＤ等の外部メディアに記録することができる。更に、本実施形態では、ＨＤＤ１１９に記録された映像データのうち、どの映像データがダビング済みなのかを示すダビング履歴情報をＨＤＤ１１９に記録している。このダビング履歴情報は、本実施例では後述のダビング動作時に、ＰＣ等で起動しているアプリケーションによって作成されてＨＤＤ１１９に記録される。この他、ビデオカメラ１００の初期設定時や、後述のダビング履歴情報を変更する区切り操作時にメインマイコン１２３によって、作成されてＨＤＤ１１９に記録されてもよい。または、製品出荷時にＨＤＤ１１９に記録されてあってもよい。
【００３１】
ビデオカメラ１００は、このダビング履歴情報を、ＰＣ等の外部装置のアプリケーションに送信することにより、ダビング済みでない映像データをＤＶＤ等の外部メディアに記録することができる。このダビング履歴情報は、ＨＤＤ１１９に記録しなくとも例えば、ＳＤカードやＣＦカード、内蔵メモリ等の別のメディアに記録しても良い。
【００３２】
図２は、ＰＣとビデオカメラ１００を接続した様子を示す図である。図２において、２０１は、ビデオカメラ１００のＨＤＤ１１９に記録された映像データをＤＶＤに記録するＤＶＤドライブ内蔵パソコンであり、情報処理装置の一例である。情報処理装置は、情報処理装置上で実行可能なプログラムをインストールすることで様々な情報処理を行うことができる。
【００３３】
２０２は、ＰＣ２０１とビデオカメラ１００を接続するＵＳＢケーブルである。２０３は、ビデオカメラ１００のＨＤＤ１１９からＰＣ２０１に送信された映像データを記録するＤＶＤである。２０４は、図１の操作キー１２２の一つとしてのＤＶＤ作成キーであり、ダイビング指示を行うことができる。２０５は、図１の操作キー１２２の一つとしてのダビング履歴情報生成キーである。
【００３４】
このＤＶＤ作成キー２０４を操作し、ビデオカメラ１００と、ＰＣ２０１とを接続すると、ＰＣ２０１上でＤＶＤ２０３へのダビングを行うためのアプリケーションが起動する。そして、該アプリケーションは、ＨＤＤ１１９から、映像データを取得し、ＤＶＤに記録することができる。
【００３５】
上述した本実施例のダビング動作の詳細を図３を用いて説明する。
【００３６】
図３は本実施例のＰＣ２０１とビデオカメラ１００を接続してダビングを行う、ダビング動作について説明するためのシーケンス図である。図３において、３０１はＰＣ２０１側の処理、３０２はビデオカメラ１００側の処理を示している。
【００３７】
まず、ビデオカメラ１００のＤＶＤ作成キー２０４の操作によりダビング指示が出される。次に、メインマイコン１２３は、ＤＶＤ作成キー２０４からの指示信号を検出して（Ｓ３０３）、ビデオカメラ１００のモードをマスストレージモードに遷移させる（Ｓ３０４）。この状態で、ユーザによってＰＣ２０１とビデオカメラ１００とがＵＳＢケーブル２０２で接続されると（Ｓ３０５）、ビデオカメラ１００のＨＤＤ１１９がＰＣ２０１とマスストレージクラスで接続される（Ｓ３０６）。ここで、ビデオカメラ１００のメインマイコン１２３は、ＨＤＤ１１９のコントローラとしての役割を担うようになる。また、ＵＳＢで接続されなければ、一定時間経過後、マスストレージモードがキャンセルされ、通常の撮影モードや再生モードに戻るようにしても良く、また、電源をオフにするようにしても良い。
【００３８】
接続が確立された後に、ＰＣ２０１はＤＶＤダビング用のアプリケーションを起動する（Ｓ３０７）。
【００３９】
つづいて、該アプリケーションは、ＨＤＤ１１９に記録されている映像データの一覧を示すコンテンツリスト、及び、前述したダビング履歴情報をビデオカメラ１００に要求する（Ｓ３０８）。ビデオカメラ１００のメインマイコン１２３は、該要求に応じて、コンテンツリスト及びダビング履歴情報をＰＣ２０１に送信する（Ｓ３０９）。
【００４０】
そして、ＰＣ２０１上で起動しているアプリケーションは、取得したコンテンツリストとダビング履歴情報とを比較して（Ｓ３１０）、ダビング済みでない映像データを特定する。ダビング履歴情報がＨＤＤ１１９に記録されていない場合は、該アプリケーションは、ダビング履歴情報が取得できない。この時は、該アプリケーションは、ＨＤＤ１１９に記録されている映像データが、すべてダビング済みでないものと見なす。
【００４１】
該アプリケーションは、前述の手順で特定された映像データを選択し、ＨＤＤ１１９に記録された記録日時が古い順に、ビデオカメラ１００に要求する（Ｓ３１１）。メインマイコン１２３は、該要求に応じて、ＨＤＤ１１９に記録された映像データをＰＣ２０１に送信する（Ｓ３１２）。
【００４２】
ＰＣ２０１上で起動しているアプリケーションは、取得した映像データを順次ＤＶＤ２０３に記録してゆく（Ｓ３１３）。該アプリケーションは、ＤＶＤ２０３が容量不足となり映像データが書ききれなくなるか、ダビング済みでないすべての映像データの記録が終了すると、ＤＶＤ２０３のファイナライズを行う（Ｓ３１４）。ＤＶＤ２０３が容量不足となった場合は、該アプリケーションは、１枚目のＤＶＤ２０３のファイナライズ終了後に、次のＤＶＤ２０３をＰＣ２０１に装填するようにユーザに促すメッセージをパソコンのディスプレイ上に表示する。または、ＰＣ２０１からの指示により、ビデオカメラ１００のメインマイコン１２３は、液晶ディスプレイ１１２に該メッセージを表示するようにしても良い。ＤＶＤ２０３が装填されると、該アプリケーションは、再び取得した映像データを順次ＤＶＤ２０３に記録する（Ｓ３１３）。
【００４３】
この一連の動作により、ＤＶＤへのダビングが終了する。
【００４４】
ＰＣ２０１上で起動しているアプリケーションは、ＤＶＤへのダビング終了後に、今回ダビングを行った映像データに対応するダビング履歴情報を更新する（Ｓ３１５）。該アプリケーションは、更新したダビング履歴情報を、ビデオカメラ１００のＨＤＤ１１９に送信し（Ｓ３１６）する。メインマイコン１２３は、ＨＤＤ１１９に記録されているダビング履歴情報を更新したダビング履歴情報で上書きする。
【００４５】
この他、該アプリケーションが、メインマイコン１２３に直接指示を出し、ＨＤＤ１１９内のダビング履歴情報をメインマイコン１２３に直接更新させても良い。
【００４６】
図３のシーケンスを通して作成されるＤＶＤの一例を図４のＤＶＤ１、ＤＶＤ２として示す。
【００４７】
図４において、４０１は、ＨＤＤ１１９に記録されている映像データの一覧であり、記録された時間順に並べた図である。本実施例では、ユーザによる記録開始の指示から記録停止の指示までの間に、ＨＤＤ１１９に記録した一連の動画／音声データを一つのファイル（コンテンツ）として管理する映像データに対し、記録された順にコンテンツＩＤを付与している。例えば、コンテンツ３（ＩＤ：０００３）までの撮影が終了した後に、ＰＣ２０１と接続された状態で、ＤＶＤ作成キー２０５が押された場合、前述のダビング動作が実行される。前述の動作に従えば、ダビング履歴情報がビデオカメラ１００のＨＤＤ１１９に、まだ記録されていないので、コンテンツ１（ＩＤ：０００１）からコンテンツ３（ＩＤ：０００３）の映像データが、ダビング済みでない映像データとみなされダビングの対象となる。
【００４８】
４０２、４０３に示すように、１枚目のＤＶＤはコンテンツ１（ＩＤ：Ｍ０００１）とコンテンツ２（ＩＤ：Ｍ０００２）の映像データがダビングされた状態で容量不足となる。そして、２枚目のＤＶＤにはコンテンツ３（ＩＤ：Ｍ０００３）の映像データがダビングされ、ダビング動作が終了する。
【００４９】
ダビング動作終了後、ＰＣ２０１上で起動しているアプリケーションは、ダビング履歴情報を作成し、ＨＤＤ１１９に送信して記録する。この時作成するダビング履歴情報を図５に示す。図５のダビング履歴情報では、ダビング済みコンテンツとして、ＩＤがＭ０００１からＭ０００３のコンテンツが登録されていることが示されている。つまり、コンテンツ１からコンテンツ３の映像データはダビング済みであるということを示している。
【００５０】
その後、ユーザがコンテンツ７までの撮影を終えたところで、次以降に撮影しようとするコンテンツを優先してＤＶＤにダビングしたいと思った場合の操作について説明する。つまり、コンテンツ４からコンテンツ７までの映像データよりもコンテンツ７以降に撮影する映像データを優先的にＤＶＤにダビングしたい場合の操作についての説明である。
【００５１】
コンテンツ８の撮影のためにユーザは、操作キー１２２を操作し、ビデオカメラ１００を撮影モードにする。撮影モードで、ＰＣ２０１と接続されていない状態でビデオカメラ１００のダビング履歴情報生成キー２０５が操作されると、メインマイコン１２３は、ＨＤＤ１１９内のダビング履歴情報を図６のように変更する。この操作を区切り操作と呼ぶこととする。この区切り操作により、変更された図６のダビング履歴情報は、ダビング済みコンテンツとして、ＩＤがＭ０００１乃至Ｍ０００７のコンテンツが登録されていることが示されている。
【００５２】
つまり、区切り操作によって、メインマイコン１２３は、該区切り操作の指示以前に撮影されたコンテンツが全てダビング済みのコンテンツとしてみなされるように、ダビング履歴情報を変更する。
【００５３】
区切り操作を行うと、メインマイコン１２３は、図７の７０１に示すように、撮影モード時の液晶ディスプレイ１１２上に、区切り操作を行った事を示すスキップマークを表示させる。この表示は、記録モード再生モード時を問わず、次のダビング動作開始または終了まで表示し続ける。また、スキップマークを表示する代わりに、不図示のＬＥＤランプを点灯する等して、ユーザに区切り操作を行った旨を報知するようにしても良い。
【００５４】
この表示により、撮影している映像が優先的にダビングされる映像であることをユーザは知ることができる。また、再生モード時には、サムネイル画面等に印をつけるようにすることで、ダビングされるコンテンツとダビングされないコンテンツをユーザが判別できるようにしてもよい。
【００５５】
さらに、スキップマーク７０１が表示されている時に、ダビング履歴情報変更キー２０５を押した場合、メインマイコン１２３は、ダビング履歴情報の変更をキャンセルする。つまり、ダビング履歴情報は、図６に示す状態から、図５に示す状態に戻り、コンテンツ１からコンテンツ３の映像データだけがダビング済みのであるということを再び示すようになる。
【００５６】
区切り操作の後、図４の４０１に示すように、コンテンツ１０までの撮影が終わり、そこで、２度目のダビング動作が実行された場合について図３、図４を参照して説明する。
【００５７】
図３のＳ３０１からＳ３０７までの処理は、前述の通りなので省略する。Ｓ３０７でＰＣ２０１でアプリケーションが起動すると、アプリケーションは、コンテンツリスト、及び、上記の変更されたダビング履歴情報をビデオカメラ１００に要求する（Ｓ３０８）。ビデオカメラ１００のメインマイコン１２３は、該要求に応じて、コンテンツリスト及び変更されたダビング履歴情報をＰＣ２０１に送信する（Ｓ３０９）。
【００５８】
そして、ＰＣ２０１上で起動しているアプリケーションは、取得したコンテンツリストとダビング履歴情報とを比較して（Ｓ３１０）、ダビング済みでない映像データを特定する。
【００５９】
今回は、図６に示すようなダビング履歴情報がＨＤＤ１１９に記録されているので、該アプリケーションは、ダビング履歴情報が取得することができる。
【００６０】
ＰＣ２０１上で起動しているアプリケーションは、ＨＤＤ１１９から取得したダビング履歴情報と、コンテンツリストとを比較する（Ｓ３１０）。そして、コンテンツ８からコンテンツ１０の映像データが、ダビング済みでない映像データであると特定し、ダビングするデータであるとみなす。
【００６１】
４０４に示すように、１枚目のＤＶＤはコンテンツ８（ＩＤ：Ｍ０００８）とコンテンツ２（ＩＤ：Ｍ０００９）の映像データがダビングされた状態で容量不足となる。次に、４０５に示すように、２枚目のＤＶＤにコンテンツ１０（ＩＤ：Ｍ００１０）の映像データがダビングされ、ダビング動作が終了する。
【００６２】
この時、ＰＣ２０１上で起動しているアプリケーションは、コンテンツ８からコンテンツ１０の映像データがダビング済みのコンテンツであることを示すような、ダビング履歴情報作成し、ＨＤＤ１１９に送信する。
【００６３】
以上の操作により、コンテンツ８からコンテンツ１０の映像データを、コンテンツ４からコンテンツ７の映像データよりも優先してダビングすることができる。
【００６４】
なお本構成に加え、区切り操作によってダビング済みのコンテンツと見なされていたコンテンツを、該ダビング動作終了後に、ダビング済みのコンテンツでないことを示すような、ダビング履歴情報を作成して送信しても良い。つまり、コンテンツ８からコンテンツ１０の映像データ送信後、本来ダビングされていないコンテンツ４からコンテンツ７の映像データについては、ダビングされていないものとして認識されるようなダビング履歴情報を作成し、ＨＤＤ１１９に送信する。
【００６５】
具体的には、メインマイコン１２３は、図８に示すように、区切り操作によってダビング済みと見なすコンテンツを認識するためのフラグを各コンテンツに付加する。図８では、本来ダビング済みでないコンテンツ４からコンテンツ７に識別フラグを付加している。
【００６６】
そして、ダビング動作終了後に、ＰＣ２０１上で起動しているアプリケーションは、図９に示すように、識別フラグが付加されているコンテンツＩＤを削除した、ダビング履歴情報を作成する。図９では、実際にダビング済みであるコンテンツ１からコンテンツ３、コンテンツ８からコンテンツ１０のみが示されている。
【００６７】
このような構成とすることで、本来ダビング済みでないコンテンツ４からコンテンツ７の映像データを後でダビングすることができる。
【００６８】
この他にも、本来ダビング済みのコンテンツ示すためのダビング履歴情報のほかに、ＤＶＤ作成キー２０４が押された際に、メインマイコン１２３によって、ダビング済みと見なされたコンテンツのみを示すための別のファイルを作成するようにしてもよい。
【００６９】
また、ダビング履歴情報は、ダビング済みのコンテンツが判別できるような情報であればよく、本実施例のダビング履歴情報に限られるものではない。
【実施例２】
【００７０】
実施例１では、ビデオカメラ１００のＨＤＤ１１９が、ＰＣ２０１のドライブの一つとして認識され、ＰＣ２０１上で実行可能なアプリケーションによってＨＤＤ１１９内の映像データがダビングされるについて説明した。しかし、これに限らず、ビデオカメラ１００と、専用のＤＶＤライター等を用いて、ダビングが行われるようにしても良い。
【００７１】
この場合、具体的には、専用のＤＶＤライターと接続した状態で、ビデオカメラ１００のＤＶＤ作成キー２０４が操作されることにより、メインマイコン１２３は、専用のＤＶＤライターに対してダビング動作が開始を指示する。
【００７２】
ダビング動作が開始すると、メインマイコン１２３は、ダビング履歴情報と、ＨＤＤ１１９のコンテンツリストを比較して、ダビング済みでないコンテンツを特定する。そして、特定されたダビング済みでないコンテンツの映像データをＨＤＤ１１９から読出し、専用のＤＶＤライターに送信する。
【００７３】
専用のＤＶＤライターは、搭載されたマイコンにより動作するものであり、ビデオカメラ１００から送信された映像データを順次ＤＶＤに記録してゆく。ＤＶＤライターのマイコンは、ＤＶＤ記録が終了すると、ＤＶＤ記録が終了したことをビデオカメラ１００に通知する。
【００７４】
ビデオカメラ１００のメインマイコン１２３は、ダビング済みでない映像データをすべて転送し終え、ＤＶＤライターからＤＶＤ記録終了の通知が送られてきたことを確認する。確認後に、この時ダビングされたコンテンツについては、ダビング済みのコンテンツであることを示すようにダビング履歴情報を更新する。ダビング履歴情報の変更、更新に関しては実施例１と差がないので説明を省略する。
【実施例３】
【００７５】
さらに、ＨＤＤとＤＶＤドライブの２つを搭載したビデオカメラにおいては、実施例２の専用のＤＶＤライターを用いなくとも、ＤＶＤのダビングを行うことができる。この場合、実施例１のようにビデオカメラ１００には、ＤＶＤ作成キー２０４と、ダビング履歴情報生成キー２０５は別体に設けられている。具体的には、ＤＶＤ作成キー２０４が操作されダビング指示がだされたことにより、メインマイコン１２３は、ビデオカメラ１００のモードをダビングモードに遷移させる。
【００７６】
ダビング動作が開始すると、メインマイコン１２３は、ダビング履歴情報と、ＨＤＤ１１９のコンテンツリストを比較して、ダビング済みでないコンテンツを特定する。そして、メインマイコン１２３は、ＤＶＤドライブを制御し、ダビング済みでないコンテンツの映像データを順次ＤＶＤに記録させる。
【００７７】
メインマイコン１２３は、全ての映像データを、ＤＶＤに記録したことを確認すると、この時、ダビングされたコンテンツについては、ダビング済みのコンテンツであることを示すようにダビング履歴情報を更新する。ダビング履歴情報の変更、更新に関しては実施例１と差がないので説明を省略する。
【実施例４】
【００７８】
また、実施例１では、ＤＶＤ作成キー２０４とダビング履歴情報変更キー２０５とが別々のスイッチである場合について説明したが、この２つのキーを統合しても良い。本実施例においては、統合したキーをＤＶＤ作成キー２０４として説明する。本実施例においては、ＰＣ２０１と接続していない状態で、ＤＶＤ作成キー２０４は、ダビング履歴情報を変更するキーとして動作する。実施例１とは、ダビング時の動作が異なる。
【００７９】
本実施例のダビング動作の詳細を図１０を用いて説明する。
【００８０】
図１０は本実施例のＰＣ２０１とビデオカメラ１００を接続してダビングを行う、ダビング動作について説明するためのシーケンス図である。図１０において、１００１はＰＣ２０１側の処理、１００２はビデオカメラ１００側の処理を示している。
【００８１】
まず、ＰＣ２０１とビデオカメラ１００が、ＵＳＢケーブル２０５で接続された事をＰＣ２０１が検出すると（Ｓ１００３）、ＰＣ２０１は、ＤＶＤ書き込みを行うアプリケーションを起動する（Ｓ１００４）。ＰＣ２０１は、アプリケーションの起動後に、アプリケーションの起動が完了した事をビデオカメラ１００に通知する（Ｓ１００５）。
【００８２】
Ｓ３０５の通知をメインマイコン１２３が受け取った後、ＤＶＤ作成キー２０４がユーザにより操作されると（Ｓ１００６）、メインマイコン１２３は、ビデオカメラ１００側のモードをマスストレージモードにする（Ｓ１００７）。
【００８３】
この状態で、ビデオカメラ１００のＨＤＤ１１９が、ＰＣ２０１のドライブの１つとしてＰＣ２０１に認識されるようになる（Ｓ１００８）。
【００８４】
マスストレージモードで接続されると、ＰＣ２０１上で起動しているアプリケーションは、ＨＤＤ１１９に記録されている映像データの一覧であるコンテンツリスト、及び、前述したダビング履歴情報を要求する（Ｓ１００９）。ＨＤＤ１１９は、該要求に応じて、コンテンツリスト及びダビング履歴情報をＰＣ２０１に送信する（Ｓ１０１０）。
【００８５】
そして、ＰＣ２０１上で起動しているアプリケーションは、取得したコンテンツリストとダビング履歴情報とを比較して（Ｓ１０１１）、ダビング済みでない映像データを特定する。ダビング履歴情報がＨＤＤ１１９に記録されていない場合は、該アプリケーションは、ダビング履歴情報が取得できない。この時は、該アプリケーションは、ＨＤＤ１１９に記録されている映像データが、すべてダビング済みでないものと見なす。
【００８６】
該アプリケーションは、前述の手順で特定された映像データを、ＨＤＤ１１９に記録された記録日時が古い順に、ＨＤＤ１１９に要求する（Ｓ１０１２）。ＨＤＤ１１９は、該要求に応じて、要求された映像データをＰＣ２０１に送信する（Ｓ１０１３）。
【００８７】
ＰＣ２０１上で起動しているアプリケーションは、取得した映像データを順次ＤＶＤ２０３に記録してゆく（Ｓ１０１４）。該アプリケーションは、ＤＶＤ２０３が容量不足となり映像データが書ききれなくなるか、ダビング済みでないすべての映像データの記録が終了すると、ＤＶＤ２０３のファイナライズを行う（Ｓ１０１５）。ＤＶＤ２０３が容量不足となった場合は、該アプリケーションは、１枚目のＤＶＤ２０３のファイナライズ終了後に、次のＤＶＤ２０３をＰＣ２０１に装填するようにユーザに促すメッセージをパソコンのディスプレイ上に表示する。または、ＰＣ２０１からの指示により、ビデオカメラ１００のメインマイコン１２３は、液晶ディスプレイ１１２に該メッセージを表示するようにしても良い。ＤＶＤ２０３が装填されると、該アプリケーションは、再び取得した映像データを順次ＤＶＤ２０３に記録する（Ｓ１０１４）。
【００８８】
この一連の動作により、ＤＶＤへのダビングが完了する。
【００８９】
ＰＣ２０１上で起動しているアプリケーションは、ＤＶＤへのダビングが終了した後に、今回ダビングを行った映像データが、ダビング済みであることを示すように取得したダビング履歴情報を更新する（Ｓ１０１５）。該アプリケーションは、更新したダビング履歴情報を、ビデオカメラ１００のＨＤＤ１１９に送信し（Ｓ１０１６）、ＨＤＤ１１９に記録されているダビング履歴情報を更新したダビング履歴情報で上書きする（Ｓ１０１７）。
【００９０】
ダビング履歴情報の変更、更新に関しては、上述したように、ＰＣ２０１と接続していない状態では、ＤＶＤ作成キー２０４が、ダビング履歴情報を変更するキーとして動作する以外に、実施例１と差がないので説明を省略する。
【実施例５】
【００９１】
実施例４のように、ＤＶＤ作成キー２０４とダビング履歴情報変更キー２０５とが統合された構成で、ＨＤＤとＤＶＤドライブの２つを搭載したビデオカメラで、ＤＶＤのダビングを行うこともできる。この場合、不図示のスイッチによりＤＶＤダビングモードに切り替えた時のみ、統合したＤＶＤ作成キー２０４がダビング動作へのトリガーとなるようにしても良い。それ以外では、統合したＤＶＤ作成キー２０４が、ダビング履歴情報を変更するキーとして動作する。具体的な動作は、実施例３と差がないので説明を省略する。
【００９２】
（他の実施例）
また、本発明は、複数の機器（例えばホストコンピュータ、インタフェース機器、ビデオカメラ等）から構成されるシステムに適用してもよい。
【００９３】
また実施例のインターフェースはＵＳＢを使用していたがＩＥＥＥ１３９４や、Ｅｔｈｅｒｎｅｔ（登録商標）等の有線接続やＩＲＤＡ、８０２．１１ｘ、Ｂｌｕｅｔｏｏｔｈ等の無線接続であっても構わない。
【００９４】
また、上述した実施例の機能を実現するように各種のデバイスを動作させるべく当該各種デバイスと接続された装置又はシステム内のコンピュータも本発明の範囲に含まれる。この装置又はシステムのコンピュータ（ＣＰＵ又はＭＰＵ）は、格納されたプログラムに従って前記各種デバイスを動作させる。この場合、前記ソフトウエアのプログラムコード自体が、前述した実施例の機能を実現することになり、そのプログラムコード自体、本発明を構成する。また、そのプログラムコードをコンピュータに供給するための手段、例えば、かかるプログラムコードを格納した記憶媒体は、本発明を構成する。かかるプログラムコードを格納する記憶媒体としては、例えば、フレキシブルディスク、ハードディスク、光ディスク、光磁気ディスク、ＣＤ−ＲＯＭ、磁気テープ、不揮発性のメモリカード及びＲＯＭ等を用いることが出来る。
【００９５】
また、コンピュータが供給されたプログラムコードを実行することにより、前述の実施例の機能が実現されるだけではなく、以下の場合もプログラムコードが本発明を構成する。その場合とは、そのプログラムコードがコンピュータにおいて稼働しているＯＳ（オペレーティングシステム）と協働して上述の実施例の機能を実現する場合。そして、そのプログラムコードが他のアプリケーションソフトウエアと協働して上述の実施例の機能を実現する場合等である。
【００９６】
更には、供給されたプログラムコードが、コンピュータの機能拡張ボード又はコンピュータに接続された機能拡張ユニットに備わるメモリ、ＣＰＵ等と協働して処理を行い、上述の実施例の機能が実現される場合も、本発明を構成する。具体的には、上記メモリに供給されたプログラムコードが格納された後、そのプログラムコードの指示に基づいて、上記ＣＰＵ等が実際の処理の一部または全部を行う。
【００９７】
なお、上記実施例において、各種の制御プログラムはビデオカメラ１００のＲＯＭ、および不図示のＰＣのＲＯＭに格納していたが，その一部またはすべてが、どちらのＲＯＭに格納されてあってもよい。
【００９８】
本発明は、上述の実施例に限るものではなく、特許請求の範囲に示した範囲で種々の変形が可能である。
【図面の簡単な説明】
【００９９】
【図１】実施例のビデオカメラのブロック図である。
【図２】実施例のビデオカメラとＰＣを接続した構成を示す図である。
【図３】実施例のダビング動作を示すシーケンス図である。
【図４】実施例のダビング動作によって作成されるＤＶＤの例を示す図である。
【図５】実施例のビデオカメラのダビング履歴情報の例を示す図である。
【図６】実施例のビデオカメラのダビング履歴情報の例を示す図である。
【図７】実施例のビデオカメラのスキップマークの例を示す図である。
【図８】実施例のビデオカメラのダビング履歴情報の例を示す図である。
【図９】実施例のビデオカメラのダビング履歴情報の例を示す図である。
【図１０】実施例のダビング動作を示すシーケンス図である。
【符号の説明】
【０１００】
１０１  撮影レンズ
１０２  絞り
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイクロフォン
１１０  増幅器
１１１  Ａ／Ｄコンバータ
１１２  液晶ディスプレイ
１１３  液晶ドライバ
１１４  ＭＰＥＧ２コーデック
１１５  ストリームバッファ
１１６  ビデオ出力端子
１１７  ＮＴＳＣエンコーダ
１１８  ディスクドライバ
１１９  ハードディスクドライブ
１２０  ＵＳＢ端子
１２１  ＵＳＢコントローラ
１２２  操作キー
１２３  メインマイコン
１２４  ＲＡＭ
１２５  ＥＥＰＲＯＭ
１２６  制御バス
【図１】
2008311933.tif 000003
【図２】
2008311933.tif 000004
【図３】
2008311933.tif 000005
【図４】
2008311933.tif 000006
【図５】
2008311933.tif 000007
【図６】
2008311933.tif 000008
【図７】
2008311933.tif 000009
【図８】
2008311933.tif 000010
【図９】
2008311933.tif 000011
【図１０】
2008311933.tif 000012